(57)【要約】【課題】相異なる特性の２種類の光源ユニットの灯体周方向の照射領域を同一にして視認性を確保した複合光源装置を提供する。【解決手段】円筒灯体を形成する透明樹脂製のフレーム１は底面部１−１及び１２０°間隔で放射状に設けられた立板１−２−１、１−２−２、１−２−３よりなる。フレーム１の底面部１−１の中央には第１の光源ユニットとしてのキセノン管２が垂直状態で設けられる。フレーム１の各立板１−２−１、１−２−２、１−２−３の第１の面には、第２の光源ユニットとして円筒灯体の径方向に沿った発光面３−１ａ、３−２ａ、３−３ａを有するトップビュー型ＬＥＤパッケージ３−１、３−２、３−３を備えたＬＥＤ基板４−１、４−２、４−３を貼り付けると共に、フレーム１の各立板１−２−１、１−２−２、１−２−３の第２の面には、ミラー５−１、５−２、５−３を貼り付ける。【選択図】  図１
2019067718.tif 000002
【特許請求の範囲】
【請求項１】
灯体内中央に該灯体の軸方向に沿って設けられた第１の光源ユニットと、
前記灯体内の前記第１の光源ユニットの周囲に放射状に配置され、前記第１の光源ユニットの特性と相異なる特性を有する複数の第２の光源ユニットと
を具備し、前記各第２の光源ユニットの表面側は他の前記第２の光源ユニットの裏面側に対向せしめた複合光源装置。
【請求項２】
前記各第２の光源ユニットは前記灯体の径方向に沿った発光面を有するトップビュー型である請求項１に記載の複合光源装置。
【請求項３】
さらに、前記各第２の光源ユニットの裏面側に設けられたミラーを具備する請求項２に記載の複合光源装置。
【請求項４】
さらに、前記各第２の光源ユニットの裏面側に設けられ、前記灯体の径方向に沿った発光面を有するトップビュー型の第３の光源ユニットを具備する請求項２に記載の複合光源装置。
【請求項５】
前記各第２の光源ユニットは前記灯体の周方向に沿って外向きの発光面を有するサイドビュー型である請求項１に記載の複合光源装置。
【請求項６】
さらに、前記各第２の光源ユニットの発光面の外周側に設けられ、前記各第２の光源ユニットの発光面からの照射を反射させるためのミラーを具備する請求項５に記載の複合光源装置。
【請求項７】
さらに、前記各第２の光源ユニットの裏面側に設けられ、前記灯体の周方向に沿って外向きの発光面を有するサイドビュー型の第３の光源ユニットを具備する請求項５に記載の複合光源装置。
【請求項８】
さらに、前記各第３の光源ユニットの発光面の外周側に設けられ、前記各第３の光源ユニットの発光面からの照射を反射させるためのミラーを具備する請求項７に記載の複合光源装置。
【請求項９】
前記第１の光源ユニットは閃光放電管であり、
前記第２の光源ユニットは半導体発光パッケージである請求項１に記載の複合光源装置。
【請求項１０】
前記第３の光源ユニットは半導体発光パッケージである請求項４又は７に記載の複合光源装置。
【発明の詳細な説明】
【技術分野】
【０００１】
本発明は相異なる特性の２種類の光源ユニットの灯体周方向の照射領域を同一にして視認性を確保した複合光源装置に関する。
【背景技術】
【０００２】
たとえば、発煙灯として作用する自動車用非常用信号灯として、警告表示として強力な閃光を発生するための第１の光源ユニットたとえばキセノン（Ｘｅ）管等の閃光放電管及びイルミネーション表示としての第２の光源ユニットたとえば発光ダイオード（ＬＥＤ）パッケージよりなる複合光源装置がある。この場合、閃光放電管は間欠的に短時間しか発光できないが光量は大きいという特性を有し、他方、ＬＥＤパッケージは長時間の連続発光が可能だが光量は小さいという特性を有し、従って、第１、第２の光源ユニットの特性が相異なっている。
【０００３】
従来の複合光源装置においては、円筒灯体内に垂直状態（軸方向）にキセノン管を設け、他方、円筒灯体内のキセノン管が位置しない底面部の周方向に複数のたとえば３個のトップビュー型ＬＥＤパッケージを発光面を上方にして設けている（参照：特許文献１の図２）。これにより、トップビュー型ＬＥＤパッケージはキセノン管の配光（照射領域）を妨害しないようにし、他方、キセノン管はトップビュー型ＬＥＤパッケージの照射領域を妨害しないようにしている。
【先行技術文献】
【特許文献】
【０００４】
【特許文献１】特開平１０−２０３２４２号公報
【特許文献２】特開２０００−３４０００１号公報
【発明の概要】
【発明が解決しようとする課題】
【０００５】
しかしながら、上述の従来の複合光源装置においては、キセノン管の照射領域は全周囲均一となっているが、トップビュー型ＬＥＤパッケージの照射領域は上方向又は斜め方向から周方向となっており、トップビュー型ＬＥＤパッケージを円筒灯体の底面部の周方向に多数設けない限り、トップビュー型ＬＥＤパッケージの光の照射領域は光量が小さく全周囲均一とならない。この結果、キセノン管及びトップビュー型ＬＥＤパッケージを同時に点灯させた場合には、円筒灯体の周方向の照射領域は均一ではなく、周方向の角度によって視認性が変化するという課題がある。
【０００６】
また、キセノン管のみを点灯させた場合には、円筒灯体の周方向の照射領域は均一であるのに対し、トップビュー型ＬＥＤパッケージのみを点灯させた場合には、円筒灯体の周方向の照射領域はトップビュー型ＬＥＤパッケージの位置に応じて不均一であるので、両者間に大きな視認性の差が発生するという課題もある。
【０００７】
尚、灯体内の上部に設けられた第１の光源ユニットつまり電球と、灯体内の底部に設けられた電球の特性と異なる第２の光源ユニットつまりトップビュー型ＬＥＤパッケージとを放物線状断面の両面ミラーで区画し、両面ミラーの裏面をトップビュー型ＬＥＤパッケージに対向せしめた複合光源装置があるが（参照：特許文献２）、この場合、電球の照射領域とトップビュー型ＬＥＤパッケージ及び両面ミラーの裏面の照射領域とは重複していない。従って、第１、第２の光源ユニット間の切換による視認性の差は大きい。
【課題を解決するための手段】
【０００８】
上述の課題を解決するために、本発明に係る複合光源装置は、灯体内中央に灯体の軸方向に沿って設けられた第１の光源ユニットと、灯体内の第１の光源ユニットの周囲に放射状に配置され、第１の光源ユニットの特性と相異なる特性を有する複数の第２の光源ユニットとを具備し、各第２の光源ユニットの表面側は他の第２の光源ユニットの裏面側に対向せしめたものである。これにより、第１の光源ユニットの照射領域と第２の光源ユニットの照射領域とを灯体の周方向において実質的に一致せしめる。
【発明の効果】
【０００９】
本発明によれば、第１の光源ユニットの照射領域と第２の光源ユニットの照射領域とは灯体の全周囲で実質的に一致するので、第１、第２の光源ユニットを同時に点灯してもまた単独で点灯しても、周方向の角度による視認性の差を解消できる。
【図面の簡単な説明】
【００１０】
【図１】本発明に係る複合光源装置の第１の実施の形態の要部を示し、（Ａ）は斜視図、（Ｂ）は上面図である。
【図２】図１の複合光源装置の照射領域を説明するための上面図であって、（Ａ）はキセノン管の照射領域を示し、（Ｂ）はトップビュー型ＬＥＤパッケージ及びミラー反射の照射領域を示す。
【図３】図１の複合光源装置の製造方法を説明するための斜視図である。
【図４】図１の複合光源装置の製造方法を説明するための斜視図である。
【図５】図４のベースに内蔵された駆動回路の回路図である。
【図６】図１のＬＥＤ基板の変更例を示す斜視図である。
【図７】本発明に係る複合光源装置の第２の実施の形態の要部を示し、（Ａ）は斜視図、（Ｂ）は上面図である。
【図８】図７の複合光源装置の照射領域を説明するための上面図であって、（Ａ）はキセノン管の照射領域を示し、（Ｂ）はサイドビュー型ＬＥＤパッケージ及びミラー反射の照射領域を示す。
【図９】図７のＬＥＤ基板の変更例を示す斜視図である。
【発明を実施するための形態】
【００１１】
図１は本発明に係る複合光源装置の第１の実施の形態の要部を示し、（Ａ）は斜視図、（Ｂ）は上面図である。尚、複合光源装置の全体は図３、図４によって説明される。
【００１２】
図１において、円筒灯体を形成する透明樹脂製のフレーム１は底面部１−１及び底面部１−１上に１２０°間隔で放射状に設けられた立板１−２−１、１−２−２、１−２−３よりなる。尚、底面部１−１と立板１−２−１、１−２−２、１−２−３とは別個又は一体のいずれでもよい。フレーム１の底面部１−１の中央には第１の光源ユニットとしてのキセノン管２が円筒灯体の軸方向に沿って垂直状態で設けられる。他方、フレーム１の各立板１−２−１、１−２−２、１−２−３の第１の面に形成された凹部内には、予め、第２の光源ユニットとして円筒灯体の径方向に沿った発光面３−１ａ、３−２ａ、３−３ａを有するトップビュー型ＬＥＤパッケージ３−１、３−２、３−３を備えたＬＥＤ基板４−１、４−２、４−３を貼り付けると共に、フレーム１の各立板１−２−１、１−２−２、１−２−３の第２の面には、予め、ミラー５−１、５−２、５−３を貼り付ける。この場合、トップビュー型ＬＥＤパッケージ３−１の表面側の発光面３−１ａとトップビュー型ＬＥＤパッケージ３−２の裏面側のミラー５−２とが対向しており、トップビュー型ＬＥＤパッケージ３−２の表面側の発光面３−２ａとトップビュー型ＬＥＤパッケージ３−３の裏面側のミラー５−３とが対向しており、トップビュー型ＬＥＤパッケージ３−３の表面側の発光面３−３ａとトップビュー型ＬＥＤパッケージ３−１の裏面側のミラー５−１とが対向している。尚、各ＬＥＤ基板４−１、４−２、４−３上の各トップビュー型ＬＥＤパッケージ３−１、３−２、３−３の数は２であるが、１又は３以上にすることもできる。
【００１３】
図１においては、立板１−２−１、１−２−２、１−２−３、トップビュー型ＬＥＤパッケージ３−１、３−２、３−３、ＬＥＤ基板４−１、４−２、４−３及びミラー５−１、５−２、５−３はキセノン管２を中心として放射状に設けられているので、立板１−２−１、１−２−２、１−２−３、トップビュー型ＬＥＤパッケージ３−１、３−２、３−３、ＬＥＤ基板４−１、４−２、４−３及びミラー５−１、５−２、５−３によるキセノン管２の照射領域の妨害は最小限にできる。逆に、キセノン管２はトップビュー型ＬＥＤパッケージ３−１、３−２、３−３の照射領域及びミラー５−１、５−２、５−３の反射光の照射領域をほとんど妨害しない。また、ＬＥＤ基板４−１、４−２、４−３は、立板１−２−１、１−２−２、１−２−３の第１の面に形成された凹部内にその一部（又は全てでもよい）が収納されているので、ＬＥＤ基板４−１、４−２、４−３の厚み分によるキセノン管２の照射領域の妨害を最小限とすることができる。
【００１４】
図２は図１の複合光源装置の照射領域を説明するための上面図であって、（Ａ）はキセノン管２の照射領域を示し、（Ｂ）はトップビュー型ＬＥＤパッケージ３−１、３−２、３−３及びミラー５−１、５−２、５−３の反射の照射領域を示す。
【００１５】
図２の（Ａ）に示すように、キセノン管２の照射領域Ｘ１、Ｘ２、Ｘ３は立板１−２−１、１−２−２、１−２−３、トップビュー型ＬＥＤパッケージ３−１、３−２、３−３、ＬＥＤ基板４−１、４−２、４−３及びミラー５−１、５−２、５−３によって妨げられるが、最小限であり、キセノン管２の照射領域Ｘ１、Ｘ２、Ｘ３は灯体の全周囲でほぼ均一と言える。
【００１６】
他方、図２の（Ｂ）に示すように、トップビュー型ＬＥＤパッケージ３−１の照射領域Ｙ１に加えて、トップビュー型ＬＥＤパッケージ３−１のミラー５−２上の虚像による照射領域Ｚ１が発生する。つまり、トップビュー型ＬＥＤパッケージ３−１の２個分の照射領域Ｙ１＋Ｚ１が発生する。この場合、トップビュー型ＬＥＤパッケージ３−１からの直接又はミラー５−２の反射による照射領域Ｙ１＋Ｚ１の光量は大きい。同様に、トップビュー型ＬＥＤパッケージ３−２の照射領域Ｙ２及びトップビュー型ＬＥＤパッケージ３−２のミラー５−３による虚像による照射領域Ｚ２が発生する。この場合も、トップビュー型ＬＥＤパッケージ３−２からの直接又はミラー５−３の反射による照射領域Ｙ２＋Ｚ２の光量は大きい。また、トップビュー型ＬＥＤパッケージ３−３の照射領域Ｙ３及びトップビュー型ＬＥＤパッケージ３−３のミラー５−１による虚像による照射領域Ｚ３が発生する。この場合も、トップビュー型ＬＥＤパッケージ３−３からの直接又はミラー５−１の反射による照射領域Ｙ３＋Ｚ３の光量は大きい。従って、トップビュー型ＬＥＤパッケージ３−１、３−２、３−３及びミラー５−１、５−２、５−３の照射領域Ｙ１＋Ｚ１、Ｙ２＋Ｚ２、Ｙ３＋Ｚ３はキセノン管２によってほとんど妨げられず、灯体の全周囲でほぼ均一と言える。
【００１７】
次に、図１の複合光源装置の製造方法について図３、図４を参照して説明する。
【００１８】
始めに、図３の（Ａ）のフレーム準備工程を参照すると、底面部１−１及び底面部１−１上に１２０°間隔で放射状に設けられた立板１−２−１、１−２−２、１−２−３よりなる透明樹脂製のフレーム１を準備する。この場合、底面部１−１及び立板１−２−１、１−２−２、１−２−３は別個又は一体のいずれでもよい。
【００１９】
次に、図３の（Ｂ）のキセノン管、ＬＥＤ基板及びミラー準備工程を参照すると、キセノン管２、トップビュー型ＬＥＤパッケージ３−１、３−２、３−３が貼り付けられたＬＥＤ基板４−１、４−２、４−３及びミラー５−１、５−２、５−３を準備する。
【００２０】
次に、図３の（Ｃ）のキセノン管、ＬＥＤ基板及びミラー取付工程を参照すると、キセノン管２をフレーム１の底面部１−１の中心に取り付けると共に、トップビュー型ＬＥＤパッケージ３−１、３−２、３−３が貼り付けられたＬＥＤ基板４−１、４−２、４−３及びミラー５−１、５−２、５−３をフレーム１の立板１−２−１、１−２−２、１−２−３の第１の面、第２の面に嵌合し又は貼り付ける。
【００２１】
次に、図４の（Ａ）のフレームキャップ取付工程を参照すると、フレーム１の立板１−２−１、１−２−２、１−２−３の上部及びキセノン管２の上部にフレームキャップ６を接着剤等によって取付ける。
【００２２】
次に、図４の（Ｂ）のベース取付工程を参照すると、フレーム１の底面部１−１をベース７に嵌合または超音波溶着法等を用いて取付ける。尚、ベース７には、後述の駆動回路５０、内蔵電池５１及びスイッチ５２が設けられている。
【００２３】
次に、図４の（Ｃ）の赤色フィルム取付工程を参照すると、非常灯として作用させるために、フレーム１及びフレームキャップ６を赤色フィルム８を取付けることによって囲む。
【００２４】
最後に、図４の（Ｄ）のレンズキャップ取付工程を参照すると、光を拡散するためのレンズカット９ａが形成されたレンズキャップ９を接着剤による接着等により取付ける。
【００２５】
図５はキセノン管２及びトップビュー型ＬＥＤパッケージ３−１、３−２、３−３を駆動するための図４のベース７内に内蔵された駆動回路５０を示す回路図である。尚、キセノン管２及びトップビュー型ＬＥＤパッケージ３−１、３−２、３−３は、便宜上、駆動回路５０内に図示してある。
【００２６】
図５において、駆動回路５０は内蔵電池５１に接続されたスイッチ５２のオン状態によって電源線ＬＤＤの電圧がプルアップされることによって動作する。たとえば、キセノン管２は間欠的に駆動され、トップビュー型ＬＥＤパッケージ３−１、３−２、３−３は連続的に駆動される。
【００２７】
始めに、キセノン管２の間欠駆動について説明する。電源線ＬＤＤの電圧が内蔵電池５１の電圧にプルアップされると、マイクロコンピュータ等によって構成される制御ユニット５３は、充電指令信号Ｓ１を発信した後に、発光指令信号Ｓ２を発信する。
【００２８】
充電指令信号Ｓ１は昇圧回路５４を動作させ、ダイオード５５を介して大容量の電解コンデンサ（あるいは電気二重層コンデンサ）５６を所定の発光電圧以上の高電圧ＶＰＰ（たとえば３００Ｖ）で充電する。尚、電解コンデンサ５６は高電圧ＶＰＰが供給される高電源線ＬＰＰと接地線ＬＧＮＤ１との間に接続されている。
【００２９】
次に、発光指令信号Ｓ２をスイッチング素子たとえば絶縁ゲートバイポーラトランジスタ（ＩＧＢＴ）５７のゲートに供給する。ＩＧＢＴ５７はキセノン管２を発光させるための発光回路５８を活性化させるためのものである。
【００３０】
キセノン管２を発光させるための発光回路５８及び発光回路５８を活性化させるＩＧＢＴ５７は高電源線ＬＰＰと接地線ＬＧＮＤ１との間に接続されている。
【００３１】
発光回路５８は、発光指令信号Ｓ２がオンのときに動作する共振用コイル５８１及び共振用コンデンサ５８２、及び発光指令信号Ｓ２がオンのときにトリガ電圧ＶＴを発生するトリガコンデンサ５８３ａ及び１次コイル５８３ｂ及び２次コイル５８３ｃを有する。また、発光回路５８は、発光指令信号Ｓ２がオフのときに共振用コイル５８１に蓄積された励磁エネルギーをリセットするダイオード５８４及び共振用コンデンサ５８２に蓄積された静電エネルギーをリセットするダイオード５８５を有する。さらに、発光回路５８は、発光指令信号Ｓ２がオフのときにトリガコンデンサ５８３ａの電位をプルアップさせる抵抗５８６及び共振用コンデンサ５８２の電位をプルダウンさせる抵抗５８７を有する。
【００３２】
発光指令信号Ｓ２によってＩＧＢＴ５７がオンとされると、トリガコンデンサ５８３ａ及び１次コイル５８３ｂの直列ＬＣ共振回路が動作する。従って、その共振による誘導電流が２次コイル５８３ｃに流れることによって高電圧たとえば２５００Ｖ〜８０００Ｖのトリガ電圧ＶＴがキセノン管２のトリガ電極Ｔに発生し、この結果、キセノン管２内に封入されたキセノンガスがイオン化されて絶縁が破壊される。また、この状態で、共振用コイル５８１及び共振用コンデンサ５８２の直列ＬＣ共振回路が動作してキセノン管２のアノード端子Ａ、カソード端子Ｃ間に放電電流が流れる。これにより、キセノン管２は発光することになる。このとき、放電電流は急激に増加し、急激に減少し、従って、光量も急激に増加し、急激に減少する。このようにして、キセノン管２は閃光を発生する。従って、制御ユニット５３が充電指令信号Ｓ１、発光指令信号Ｓ２を繰返して発生すると、キセノン管２は間欠駆動することになる。
【００３３】
次に、トップビュー型ＬＥＤパッケージ３−１、３−２、３−３の駆動について説明する。電源線ＶＤＤは負荷抵抗５９に接続され、トップビュー型ＬＥＤパッケージ３−１、３−２、３−３は負荷抵抗５９と接地線ＬＧＮＤ２との間に並列接続されている。尚、トップビュー型ＬＥＤパッケージ３−１、３−２、３−３の接続は他の接続方法たとえば直列接続でもよい。
【００３４】
スイッチ５２がオンとされると、電源線ＶＤＤは内蔵電池５２の電圧にプルアップされる。これにより、電源線ＶＤＤ（正確には、負荷抵抗５９）、接地線ＬＧＮＤ２間のトップビュー型ＬＥＤパッケージ３−１、３−２、３−３は連続的に駆動されることになる。
【００３５】
尚、図５の駆動回路５０はキセノン管２の閃光駆動（間欠駆動）とトップビュー型ＬＥＤパッケージ３−１、３−２、３−３の連続駆動とを同時に行うようにしているが、駆動回路５０は、キセノン管２の間欠駆動とトップビュー型ＬＥＤパッケージ３−１、３−２、３−３の連続駆動とを独立に行うように構成することもできる。この場合、キセノン管２とトップビュー型ＬＥＤパッケージ３−１、３−２、３−３との点滅周期をずらすことにより、灯体としての点滅状態を常に変化させることができる。
【００３６】
上述の図１に示す第１の実施の形態においては、ミラー５−１、５−２、５−３の代りに、トップビュー型ＬＥＤパッケージ３−１、３−２、３−３及びＬＥＤ基板４−１、４−２、４−３と同一のトップビュー型ＬＥＤパッケージ及びＬＥＤ基板を付加することもできる。この場合も、製造コストは上昇するが、図２の（Ｂ）に示す照射領域Ｙ１＋Ｚ１、Ｙ２＋Ｚ２、Ｙ３＋Ｚ３と同様の照射領域を実現できる。より詳しくは、付加されるトップビュー型ＬＥＤパッケージ及びＬＥＤ基板は、図３の（Ａ）の立板１−２−１、１−２−２、１−２−３の表側の第１の面側と同様に裏側の第２の面にも凹部を設け、第１の面側の凹部内に付加されるＬＥＤ基板を、それぞれ、貼付け又は嵌合させて固定する。この場合、ミラー５−１、５−２、５−３は取付けない。この結果、付加されたトップビュー型ＬＥＤパッケージの照射領域は、図２の（Ｂ）における虚像による照射領域Ｚ１、Ｚ２、Ｚ３と同様となり、従って、照射領域を灯体の全周囲に亘って均一にできる。
【００３７】
また、図１に示す第１の実施の形態におけるミラー５−１、５−２、５−３を省略することもできる。この場合、図２の（Ｂ）に示す照射領域Ｚ１、Ｚ２、Ｚ３は存在しない分、光量が劣るが、トップビュー型ＬＥＤパッケージ３−１、３−２、３−３からの直接の照射領域Ｙ１、Ｙ２、Ｙ３のみでも灯体の全周囲に亘ることができる。
【００３８】
さらに、図１に示す第１の実施の形態においては、フレーム１の立板つまりＬＥＤ基板４−１、４−２、４−３は１２０°間隔で３枚としたが、他の枚数たとえば、図６に示すごとく、９０°間隔で４枚のＬＥＤ基板４−１、４−２、４−３、４−４とすることもでき、また、５枚以上のＬＥＤ基板とすることもできる。さらに、立板の間隔は等間隔でなくてもよい。
【００３９】
図７は本発明に係る複合光源装置の第２の実施の形態の要部を示し、（Ａ）は斜視図、（Ｂ）は上面図である。
【００４０】
図７においては、図１のトップビュー型ＬＥＤパッケージ３−１、３−２、３−３の代りに、円筒灯体の周方向に沿って外向きの発光面３−１’ａ、３−２’ａ、３−３’ａを有するサイドビュー型ＬＥＤパッケージ３−１’、３−２’、３−３’を設ける。また、図１のミラー５−１、５−２、５−３の代りに、ミラー５−１’、５−２’、５−３’をサイドビュー型ＬＥＤパッケージ３−１’、３−２’、３−３’の外周側かつ立板１−２−１、１−２−２、１−２−３の第１の面上に設ける。尚、ミラー５−１’、５−２’、５−３’は立板１−２−１、１−２−２、１−２−３の第１の面の全面に設けてもよい。従って、サイドビュー型ＬＥＤパッケージ３−１’の発光面３−１’ａとミラー５−１’とが斜め対向しており、サイドビュー型ＬＥＤパッケージ３−２’の発光面３−２’ａとミラー５−２’とが斜め対向しており、サイドビュー型ＬＥＤパッケージ３−３’の発光面３−３’ａとミラー５−３’とが斜め対向している。尚、各ＬＥＤ基板４−１、４−２、４−３上のサイドビュー型ＬＥＤパッケージ３−１’、３−２’、３−３’の数は２であるが、１又は３以上にすることもできる。
【００４１】
図７においては、立板１−２−１、１−２−２、１−２−３、サイドビュー型ＬＥＤパッケージ３−１’、３−２’、３−３’、ＬＥＤ基板４−１、４−２、４−３及びミラー５−１’、５−２’、５−３’はキセノン管２を中心として放射状に設けられているので、立板１−２−１、１−２−２、１−２−３、サイドビュー型ＬＥＤパッケージ３−１’、３−２’、３−３’、ＬＥＤ基板４−１、４−２、４−３及びミラー５−１’、５−２’、５−３’によるキセノン管２の照射領域の妨害は最小限にできる。逆に、キセノン管２はサイドビュー型ＬＥＤパッケージ３−１’、３−２’、３−３’の照射領域及びミラー５−１’、５−２’、５−３’の反射光の照射領域をほとんど妨害しない。
【００４２】
図８は図１の複合光源装置の照射領域を説明するための上面図であって、（Ａ）はキセノン管２の照射領域を示し、（Ｂ）はサイドビュー型ＬＥＤパッケージ３−１’、３−２’、３−３’及びミラー５−１’、５−２’、５−３’の反射の照射領域を示す。
【００４３】
図８の（Ａ）に示すように、図２の（Ａ）と同様に、キセノン管２の照射領域Ｘ１、Ｘ２、Ｘ３は立板１−２−１、１−２−２、１−２−３、サイドビュー型ＬＥＤパッケージ３−１’、３−２’、３−３’、ＬＥＤ基板４−１、４−２、４−３及びミラー５−１’、５−２’、５−３’によって妨げられるが、最小限であり、キセノン管２の照射領域Ｘ１、Ｘ２、Ｘ３は灯体の全周囲でほぼ均一と言える。
【００４４】
他方、図８の（Ｂ）に示すように、サイドビュー型ＬＥＤパッケージ３−１’の照射領域Ｙ１’はミラー５−１’によって傾斜する。この場合、サイドビュー型ＬＥＤパッケージ３−１’からの直接又はミラー５−１’の反射による照射領域Ｙ１’の光量は大きい。同様に、サイドビュー型ＬＥＤパッケージ３−２’の照射領域Ｙ２’はミラー５−２’によって傾斜する。この場合も、サイドビュー型ＬＥＤパッケージ３−２’からの直接又はミラー５−２’の反射による照射領域Ｙ２’の光量は大きい。また、サイドビュー型ＬＥＤパッケージ３−３’の照射領域Ｙ３’はミラー５−３’によって傾斜する。この場合も、サイドビュー型ＬＥＤパッケージ３−３’からの直接又はミラー５−３’の反射による照射領域Ｙ３’の光量は大きい。従って、サイドビュー型ＬＥＤパッケージ３−１’、３−２’、３−３’の照射領域Ｙ１’、Ｙ２’、Ｙ３’はキセノン管２によってほとんど妨げられず、灯体の全周囲でほぼ均一と言える。
【００４５】
図７の複合光源装置の製造方法は、図３、図４に示す工程において、図３の（Ｂ）の工程のみ異なる。すなわち、図３の（Ｂ）においては、キセノン管２、サイドビュー型ＬＥＤパッケージ３−１’、３−２’、３−３’及びミラー５−１’、５−２’、５−３’が貼り付けられたＬＥＤ基板４を準備する。
【００４６】
上述の図７に示す第２の実施の形態においては、ＬＥＤ基板４−１、４−２、４−３の第２の面にもサイドビュー型ＬＥＤパッケージ３−１’、３−２’、３−３’及びミラー５−１’、５−２’、５−３’と同一のサイドビュー型ＬＥＤパッケージ及びミラーを設けることもできる。この場合、製造コストは上昇するが、図８の（Ｂ）に示す照射領域Ｙ１’、Ｙ２’、Ｙ３’に加えて同様の照射領域を実現でき、従って、照射領域を灯体の全周囲に亘ってさらに均一にできる。
【００４７】
さらに、図７に示す第２の実施の形態においても、フレーム１の立板つまりＬＥＤ基板４−１、４−２、４−３は１２０°間隔で３枚としたが、他の枚数たとえば、図９に示すごとく、９０°間隔で４枚のＬＥＤ基板４−１、４−２、４−３、４−４とすることもでき、また、５枚以上とすることもできる。さらに、立板の間隔は等間隔でなくてもよい。
【００４８】
さらにまた、図１、図７に示す第１、第２の実施の形態においては、第１、第２の光源ユニットは特性が相異なっていればよく、第１の光源ユニットとしては、キセノン管以外の閃光放電管等でもよく、また、第２の光源ユニットとしては、レーザダイオード（ＬＤ）パッケージ等の半導体光学パッケージでもよい。
【００４９】
さらにまた、図１、図７に示す第１、第２の実施の形態においては、灯体は円筒形状をなしているが、これに限られず、たとえば、灯体は多角形状でもよい。
【００５０】
さらにまた、本発明は上述の実施の形態の自明の範囲のいかなる変更にも適用し得る。
【産業上の利用可能性】
【００５１】
本発明は、発煙筒としての自動車用非常信号灯に加えて、レジャー用非常信号灯、船舶用信号灯、空港誘導灯、高層建造物識別灯にも利用できる。
【符号の説明】
【００５２】
１：フレーム
１−１：底面部
１−２−１、１−２−２、１−２−３：立板
２：キセノン管
３−１、３−２、３−３：トップビュー型ＬＥＤパッケージ
３−１’、３−２’、３−３’：サイドビュー型ＬＥＤパッケージ
４−１、４−２、４−３：ＬＥＤ基板
５−１、５−２、５−３、５−１’、５−２’、５−３’：ミラー
６：フレームキャップ
７：ベース
８：赤色フィルム
９：レンズキャップ
９ａ：レンズカット    
【図１】
2019067718.tif 000003
【図２】
2019067718.tif 000004
【図３】
2019067718.tif 000005
【図４】
2019067718.tif 000006
【図５】
2019067718.tif 000007
【図６】
2019067718.tif 000008
【図７】
2019067718.tif 000009
【図８】
2019067718.tif 000010
【図９】
2019067718.tif 000011